(57)【特許請求の範囲】
【請求項１】
ペイン（１４）を含む、車両の開口を封止する構成であって、粉砕保護要素（３０）が該ペインまたは該ペインに固定された機能要素（６０）にその全表面で固定され、かつ該粉砕保護要素が永久に弾性的な接着接続（１２）を介して、または発泡フレーム（１６）を介して、車両本体または該車両本体に接続された保持要素（１８）に接続され、該粉砕保護要素は、該粉砕保護要素と該接着接続または発泡フレームの間の結合をそれぞれ増加するための手段（３２、３４、３６、７４、７６、７８、８０、８４）を備え、
該結合を増加する該手段が、該接着接続（１２）または該発泡フレーム（１６）の該粉砕保護要素（３０）を通っての侵入を可能にする、該粉砕保護要素内部に備えられた穴（３２、３４）であることを特徴とする構成。
【請求項２】
ペイン（１４）を含む、車両の開口を封止する構成であって、粉砕保護要素（３０）が該ペインまたは該ペインに固定された機能要素（６０）にその全表面で固定され、かつ該粉砕保護要素が永久に弾性的な接着接続（１２）を介して、または発泡フレーム（１６）を介して、車両本体または該車両本体に接続された保持要素（１８）に接続され、該粉砕保護要素は、該粉砕保護要素と該接着接続または発泡フレームの間の結合をそれぞれ増加するための手段（３２、３４、３６、７４、７６、７８、８０、８４）を備え、
該結合を増加する該手段が、該ペイン（１４）の反対側に面する該粉砕保護要素（３０）の表面で隆起する構造（７６、８０、８８、９０）であることを特徴とする構成。
【請求項３】
ペイン（１４）を含む、車両の開口を封止する構成であって、粉砕保護要素（３０）が該ペインまたは該ペインに固定された機能要素（６０）に固定され、該粉砕保護要素が永久に弾性的な接着接続（１２）、または発泡フレーム（１６）を介して、車両本体または該車両本体に接続された保持要素（１８）に接続され、かつ該粉砕保護要素の表面は、該粉砕保護要素と該接着接続または発泡フレームの間の結合をそれぞれ増加するための手段（３６、７４、７６、７８、８０、８４、８８、９０、９２）を備え、
該結合を増加する該手段が、該ペイン（１４）の反対側に面する該粉砕保護要素（３０）の表面で隆起する構造（７６、８０、８８、９０）であることを特徴とする構成。
【請求項４】
該隆起する構造（７６、８０、８８、９０）が、該粉砕保護要素の表面上に溶着または糊付けされ、または該ペイン（１４）に面する、該粉砕保護要素（３０）の側から開口（３４）を貫通していることを特徴とする、請求項２又は３に記載の構成。
【請求項５】
該隆起する構造が、該接着接続（１２）または該発泡フレーム内に突出する形状（７６、７８）により、または該接着接続または該発泡フレーム内に個別に突出する要素（９０）により、形成されることを特徴とする、請求項２〜４の一項に記載の構成。
【請求項６】
該隆起する構造が、該接着接続（１２）または該発泡フレーム内に延伸する、突起（８０）またはコーン（９０）を含むことを特徴とする、請求項５に記載の構成。
【請求項７】
ペイン（１４）を含む、車両の開口を封止する構成であって、粉砕保護要素（３０）が該ペインまたは該ペインに固定された機能要素（６０）にその全表面で固定され、かつ該粉砕保護要素が永久に弾性的な接着接続（１２）を介して、または発泡フレーム（１６）を介して、車両本体または該車両本体に接続された保持要素（１８）に接続され、該粉砕保護要素は、該粉砕保護要素と該接着接続または発泡フレームの間の結合をそれぞれ増加するための手段（３２、３４、３６、７４、７６、７８、８０、８４）を備え、
該結合を増加する該手段が、粗面化した表面を有し、該ペインと反対側に面する該粉砕保護要素（３０）の表面に適用された構造（８４）であり、
該粗面化した表面を有する構造（８４）が、溶融接着フォイル（２８、８２）を介して該粉砕保護要素（３０）上に糊付けされることを特徴とする構成。
【請求項８】
ペイン（１４）を含む、車両の開口を封止する構成であって、粉砕保護要素（３０）が該ペインまたは該ペインに固定された機能要素（６０）に固定され、該粉砕保護要素が永久に弾性的な接着接続（１２）、または発泡フレーム（１６）を介して、車両本体または該車両本体に接続された保持要素（１８）に接続され、かつ該粉砕保護要素の表面は、該粉砕保護要素と該接着接続または発泡フレームの間の結合をそれぞれ増加するための手段（３６、７４、７６、７８、８０、８４、８８、９０、９２）を備え、
該結合を増加する該手段が、粗面化した表面を有し、該ペインと反対側に面する該粉砕保護要素（３０）の表面に適用された構造（８４）であり、
該粗面化した表面を有する構造（８４）が、溶融接着フォイル（２８、８２）を介して該粉砕保護要素（３０）上に糊付けされることを特徴とする構成。
【請求項９】
ペイン（１４）を含む、車両の開口を封止する構成であって、粉砕保護要素（３０）が該ペインまたは該ペインに固定された機能要素（６０）にその全表面で固定され、かつ該粉砕保護要素が永久に弾性的な接着接続（１２）を介して、または発泡フレーム（１６）を介して、車両本体または該車両本体に接続された保持要素（１８）に接続され、該粉砕保護要素は、該粉砕保護要素と該接着接続または発泡フレームの間の結合をそれぞれ増加するための手段（３２、３４、３６、７４、７６、７８、８０、８４）を備え、
該粉砕保護要素（３０）が、該接着接続（１２）または該発泡フレームの領域内に凹部（３２）を備え、該接着接続または該発泡フレームは該ペイン（１４）または該機能要素（６０）に向かって該凹部を貫通することを特徴とする構成。
【請求項１０】
該粉砕保護要素（３０）が、該保持要素（１８）と該ペインの間の該保持要素（１８）の少なくとも１部分に配置されることを特徴とする、請求項１ないし９の一項に記載の構成。
【請求項１１】
該粉砕保護要素（３０、３０Ａ、３０Ｂ）が、その全周縁領域またはその周縁領域のセグメントのみで、該接着接続（１２）または該発泡フレーム（１６）と接続されることを特徴とする、請求項１ないし１０の一項に記載の構成。
【請求項１２】
該粉砕保護要素（３０、３０Ａ、３０Ｂ）が弾性フォイルまたは剛体のプレートであることを特徴とする、請求項１ないし１１の一項に記載の構成。
【請求項１３】
該発泡フレーム（１６）または該永久に弾性的な接着接続（１２）が、該ペイン（１４）の該周縁領域に備えられることを特徴とする、請求項１ないし１２の一項に記載の構成。
【請求項１４】
該永久に弾性的な接着接続（１２）が、３０から７０のショアＡ硬度、および／または１から１０Ｎ／ｍｍ２の引っ張り強度、および／または３００−６００％の断裂伸びを有することを特徴とする、請求項１ないし１３の一項に記載の構成。
【請求項１５】
該接着接続（１２）が、接着帯であることを特徴とする、請求項１ないし１４の一項に記載の構成。
【請求項１６】
該機能要素が、太陽電池複合物（６０）であることを特徴とする、請求項１ないし１５の一項に記載の構成。
【請求項１７】
該保持要素（１８）が、強化フレームであることを特徴とする、請求項１ないし１６の一項に記載の構成。
【請求項１８】
該ペイン（１４）が、開口屋根用のガラス・パネルであることを特徴とする、請求項１ないし１７の一項に記載の構成。
【請求項１９】
該保持要素（１８）が、屋根内部のパネル・フレームであることを特徴とする、請求項１７に記載の構成。
【請求項２０】
該粉砕保護要素（３０）が接着フォイル（２８）または押圧接着層を介して、該ペイン（１４）または該機能要素（１６）に固定されることを特徴とする、請求項１ないし１９の一項に記載の構成。
【請求項２１】
該ペイン（１４）が、予め熱処理された安全ガラスであることを特徴とする、請求項１ないし２０の一項に記載の構成。
【請求項２２】
車両の開口を封止する、粉砕保護要素（３０）がペイン（１４）または該ペインに固定された機能要素にその全表面で固定され、かつ該粉砕保護要素が永久に弾性的な接着接続（１２）、または発泡フレーム（１６）を介して、該車両本体または該車両本体に接続されることができる保持要素（１８）に接続され、該接着接続または該発泡フレームによるそれぞれの結合に先んじて、該粉砕保護要素は、該粉砕保護要素と該接着接続または該発泡フレームの間の結合をそれぞれ増加するための手段（３２、３４、３６、７４、７６、７８、８０、８４）を備え、該結合を増加する該手段が、該接着接続（１２）または該発泡フレーム（１６）の該粉砕保護要素（３０）を通っての侵入を可能にする、該粉砕保護要素内部に備えられた穴（３２、３４）である構成を製造する方法。
【請求項２３】
車両の開口を封止する、粉砕保護要素（３０）がペイン（１４）または該ペインに固定された機能要素にその全表面で固定され、かつ該粉砕保護要素が永久に弾性的な接着接続（１２）、または発泡フレーム（１６）を介して、該車両本体または該車両本体に接続されることができる保持要素（１８）に接続され、該接着接続または該発泡フレームによるそれぞれの結合に先んじて、該粉砕保護要素は、該粉砕保護要素と該接着接続または該発泡フレームの間の結合をそれぞれ増加するための手段（３２、３４、３６、７４、７６、７８、８０、８４）を備え、該結合を増加する該手段が、該ペイン（１４）の反対側に面する該粉砕保護要素（３０）の表面で隆起する構造（７６、８０、８８、９０）である構成を製造する方法。
【請求項２４】
車両の開口を封止する、粉砕保護要素（３０）がペイン（１４）または該ペインに固定された機能要素（６０）に固定され、該粉砕保護要素が永久に弾性的な接着接続（１２）、または発泡フレーム（１６）を介して、車両本体または該車両本体に接続されるべき保持要素（１８）に接続され、該接着接続または該発泡フレームによるそれぞれの結合に先んじて、該粉砕保護要素の表面は、該粉砕保護要素と該接着接続または発泡フレームの間の結合をそれぞれ増加するための手段（３６、７４、７６、７８、８０、８４、８８、９０、９２）を備え、該結合を増加する該手段が、該ペイン（１４）の反対側に面する該粉砕保護要素（３０）の表面で隆起する構造（７６、８０、８８、９０）である構成を製造する方法。
【請求項２５】
車両の開口を封止する、粉砕保護要素（３０）がペイン（１４）または該ペインに固定された機能要素にその全表面で固定され、かつ該粉砕保護要素が永久に弾性的な接着接続（１２）、または発泡フレーム（１６）を介して、該車両本体または該車両本体に接続されることができる保持要素（１８）に接続され、該接着接続または該発泡フレームによるそれぞれの結合に先んじて、該粉砕保護要素は、該粉砕保護要素と該接着接続または該発泡フレームの間の結合をそれぞれ増加するための手段（３２、３４、３６、７４、７６、７８、８０、８４）を備え、該結合を増加する該手段が、粗面化した表面を有し、該ペインと反対側に面する該粉砕保護要素（３０）の表面に適用された構造（８４）であり、該粗面化した表面を有する構造（８４）が、溶融接着フォイル（２８、８２）を介して該粉砕保護要素（３０）上に糊付けされる構成を製造する方法。
【請求項２６】
車両の開口を封止する、粉砕保護要素（３０）がペイン（１４）または該ペインに固定された機能要素（６０）に固定され、該粉砕保護要素が永久に弾性的な接着接続（１２）、または発泡フレーム（１６）を介して、車両本体または該車両本体に接続されるべき保持要素（１８）に接続され、該接着接続または該発泡フレームによるそれぞれの結合に先んじて、該粉砕保護要素の表面は、該粉砕保護要素と該接着接続または発泡フレームの間の結合をそれぞれ増加するための手段（３６、７４、７６、７８、８０、８４、８８、９０、９２）を備え、該結合を増加する該手段が、粗面化した表面を有し、該ペインと反対側に面する該粉砕保護要素（３０）の表面に適用された構造（８４）であり、該粗面化した表面を有する構造（８４）が、溶融接着フォイル（２８、８２）を介して該粉砕保護要素（３０）上に糊付けされる構成を製造する方法。
【請求項２７】
車両の開口を封止する、粉砕保護要素（３０）がペイン（１４）または該ペインに固定された機能要素にその全表面で固定され、かつ該粉砕保護要素が永久に弾性的な接着接続（１２）、または発泡フレーム（１６）を介して、該車両本体または該車両本体に接続されることができる保持要素（１８）に接続され、該接着接続または該発泡フレームによるそれぞれの結合に先んじて、該粉砕保護要素は、該粉砕保護要素と該接着接続または該発泡フレームの間の結合をそれぞれ増加するための手段（３２、３４、３６、７４、７６、７８、８０、８４）を備え、該粉砕保護要素（３０）が、該接着接続（１２）または該発泡フレームの領域内に凹部（３２）を備え、該接着接続または該発泡フレームは該ペイン（１４）または該機能要素（６０）に向かって該凹部を貫通する構成を製造する方法。
【請求項２８】
該接着接続は、接着帯（１２）により実行されることを特徴とする、請求項２２ないし２７の一項に記載の方法。
【発明の詳細な説明】
【技術分野】
【０００１】
本発明は、ペインおよびペインに接続される粉砕保護要素を備える、車両の開口を閉じる配置と、そのような配置を製造する方法に関する。
【背景技術】
【０００２】
ＤＥ４３  ２３１  ４０Ａ１から、その下方にアモルファス・シリコンの層を伴ったガラスのペインが備えられ、ペインの中央部に透明のポリエチレン・テレフタレート（ＰＥＴ）フォイルが接着フォイルを介して固定された、車両の屋根の可動ルーフ・パネル用のペイン配置は既知である。ＰＥＴフォイルの周縁は、そのフレームがペインの下方にシート内部の金属フレームを固定するようにされた、ペインのエッジの発泡ポリウレタンフレームに延伸している。
【０００３】
ドイツ特許出願ＤＥ１０１  ５１  １５６．６は、安全ガラスで作られたペインが、例えば内部シート金属フレームである支持構成によりペインの下方に固定される、発泡フレームを伴って備えられる、車両用のガラス・パネルを記述する。ガラス・ペインの中央部には、接着フォイルを介して、ペインの下方またはペインの下方に固定された太陽電池複合物の下方に、粉砕保護フォイルが、ガラス・ペインの周縁領域の発泡フレーム内に埋め込まれた、または支持構成内に機械的に固定された、粉砕保護フォイルが固定される。第１の場合、粉砕保護フォイルの周縁は発泡フレーム内でより固定効果を達成する穴が備えられる。
【０００４】
ドイツ特許出願ＤＥ１０２  ０６  ７１７．１は、粉砕保護フォイルが滑らかでない表面構造を備えてもよく、または視覚的に満足される外観を達成するためにプリントされまたは塗られてもよいという、さらなる情報を与えられた、同様のガラス・パネルを記述する。
【０００５】
ＤＥ３５  ２１  １１５Ａ１は、ペインおよびそれに固定された層が車両の本体に接続された、インジェクション・モールドされたＰＵのガスケット・フレーム内部に埋め込まれた、ポリエステル製の粉砕保護ペインを有するか、またはＰＶＢまたはＰＵの弾性中間層を介してペインに固定された粉砕保護層を支持する、ガラス・ペインを備える、自動車の窓用ペイン構成に関する。
【０００６】
ＤＥ２  ２４７  ６４４は、ペイン構成をフレーム内に保持するために、プラスチック層の周縁が接着帯を介して車両本体に固定されたフレームに固定された、ガラス・ペインおよびフレキシブルなプラスチック層を備える、自動車用の風よけの構成に関する。この場合、接着帯とガラス・ペインの間には、直接の接触はない。
【０００７】
ＵＳ２，７５０，３１２から、強化繊維材料製のテープを介して、二つのペインの間に配置されたプラスチック層の周縁を、周縁の周囲に延伸するフレームに接続することが既知である。
【０００８】
ＤＥ３６  ３２  ４７２Ａ１は、粉砕保護フォイルがＰＶＢの接着フォイルを介してガラス・ペインの下方に固定され、ペインと二つのフォイルが共に、車両の開口内のペインを保持するためにされた、ＰＵのインジェクション・モールドされたガスケットのフレームに固定されて接続された、スクラッチ予防のコーティングを有する、ガラス・ペインおよびポリエステル・フォイル製の粉砕保護フォイルを備える、自動車用のペイン構成に関する。フォイルとガスケットのフレームの間に良好な接続を達成するために、いくつかのオプションが記述される。とりわけ、二つのフォイルがガラス・ペインのエッジを超えてガスケット・フレームに延伸する領域内に、フォイルを貫通する穴を備えることが提案され、さらにそのような穴の各々に中空のリベットを挿入する、さらなるオプションに言及している。さらに上部の要素を、ＰＶＢフォイル上のフォイルの突出部に糊付けすることが、提案される。代案として、厚くした領域を生成するために周縁の突出部のフォイルを曲げること、または挿入要素またはＵ字型形状をガスケット・フレーム内のフォイルの曲げた周縁突出部に挿入することが、提案される。
【発明の開示】
【発明が解決しようとする課題】
【０００９】
ペインの破損の際の、乗員と乗員の客室の良好かつ安価な保護が備えられた、車両の開口を閉止する、粉砕保護要素をもつペインを備える構成を提供することが、本発明の目的である。そのような構成の単純な製造を可能にする、対応する製造方法を提供することは、さらなる目的である。
【課題を解決するための手段】
【００１０】
本発明はこの目的を、特許請求の範囲に記載の発明（構成、方法）により、達成する。
【００１１】
ペインの破損の際に、破損したペインの粉砕物が粉砕保護要素に接着し、粉砕保護要素が保持要素または車両本体にそれぞれ固定して接続されているので、粉砕保護要素はそれぞれの保持要素または車両本体によりその場所に維持されて、全ての解法が有用である。従って乗員が破損したペインを通って投げ出されたり、破片や粉砕物が破損したペインを通って乗員客室に侵入したりする事から予防され、夜盗によるペインの損壊の場合にも乗員客室は閉じたままである。
【００１２】
本発明の一態様による解法は、ペインの発泡フレームが必要でないので有用で、従って本発明は車両の窓の車両横窓用に用いられてよい。
【００１３】
本発明の一態様による解法は、粉砕保護要素の特別なデザインに起因して、粉砕保護要素と保持要素または車両本体の間の充分な結合がそれぞれ保証されるにもかかわらず、その一方で同時にペインまたは機能要素それぞれでの、粉砕保護要素の全表面にわたる取り付けに起因して、簡単な製造が可能となる点で特に有用である。
【００１４】
本発明の一態様による解法は、粉砕保護要素の複雑な構成がなくても、粉砕保護要素の表面の対応する処理により、粉砕保護要素と保持要素の間の充分な結合が達成される点で、特に有用である。
【００１５】
本発明の一態様による解法は、粉砕保護要素と保持要素または車両本体それぞれの間の良好な結合を達成するために、粉砕保護要素の表面デザインの異なる代替案が提供される点で、特に有用である。
【００１６】
本発明の一態様による解法は、複数の粉砕保護要素を用いることにより、異なる分野の用途または異なるペインに対して、粉砕保護機能の特に柔軟な適用を達成する点で、特に有用である。
【００１７】
本発明の一態様による解法は、粉砕保護要素と発泡フレームまたは接着接続の間にシート状接続要素を用いることにより、粉砕保護要素を接着接続または発泡フレームにより、保持要素または車両本体と直接接続する必要が除去されることができ、それによりデザインの自由度の増加が達成される点で、特に有用である。
【００１８】
本発明の好ましい実施形態は従属請求項に記載されている。
【００１９】
以下では、本発明の実施例について添付の図面を参照して説明する。
【発明を実施するための最良の形態】
【００２０】
図１には、例えば自動車用の風防、横窓または天上窓、または船用、ボート用、トラクタ用、建設機械用等の窓であることができる、ペイン構成１０の第１の実施形態が示される。ペイン構成１０は、望ましくは予め熱処理された安全ガラスで製造された、少なくとも部分的に透明なガラス・ペイン１４を備える。乗員の客室に面する側には、ペイン１４の周縁領域が、代わりに車両の本体に接続された保持要素１８を備える。保持要素１８は、車両本体に固定してまたは移動可能に接続され、従って後者の場合、ペイン構成１０により覆われた車両本体の開口を少なくとも部分的にオプションとして露出するために、全ペイン構成１０が移動可能である。ペイン１４の周縁領域は、乗員の客室に面する側で、接着接続１２を経由して保持要素１８と、従って同様に保持要素１８を経由して車両本体と、固定して接続される。乗員の客室に面する側に、不透明の目隠しとしてかつ接着接続１２と保持要素１８を外部から覆うための接着表面として供される、ガラス原料２４が備えられる。
【００２１】
保護フォイル複合物２６は、ガラス原料２４の領域にこの領域が延伸する、乗員の客室に面するペイン１４の側の中央の透明部上に、ラミネートまたは糊付けされる。ペイン１４に面する、保護フォイル複合物２６の側は、耐引き裂き性で傷予防である、保護フォイル３０をペイン１４に糊付けするようにされた、接着フォイルまたは接着層２８を備える。そのような層構成は、図５に例として示される。全ての実施形態で、接着フォイル２８は例えば、ポリ・ビニル・ブチラール・フィルム（ＰＶＢ−フィルム）、熱可塑性ポリウレタン（ＰＴＵ）製の透明フォイルまたはエチレン・ビニル・アセテート共重合体（ＥＶＡ）製のフォイルであってよく、全ての実施形態で保護フォイル３０は、例えばポリ・シロキサンまたはアクリレート・ラッカーまたはポリ・カーボネート・フォイル（ＰＣ−フォイル）が塗布された、光ポリエチレン・テレフタレート・フォイル（ＰＥＴ−フォイル）である、望ましくは傷予防が塗布されたプラスチック・フォイルであってよい。
【００２２】
保護フォイル複合物２６の周縁領域２２は接着接続１２に延伸し、少なくとも部分的に接着接続１２内部に埋め込まれ、または浸漬され、即ちこの領域で保護フォイル複合物２６はペイン１４と接触しない。保護フォイル複合物２６の周縁領域２２および中央領域の部分は、保持要素１８とペイン１４の間に配置されている。ペイン１４と接触しない保護フォイル複合物２６の周縁領域２２では、接着フォイルまたは接着層２８が省略されてもよい。
【００２３】
そのため接着接続１２は、保持要素１８をペイン１４と接続するのみならず、保護フォイル複合物２６を保持要素１８と固定して接続することにも供される。従ってガラスのペイン１４の破損に際して、ペイン１４が破壊されたとしても、代わりに車両本体と接続された保持要素１８を介して、保護フォイル複合物２６がその周縁領域に延伸されて残るので、ペイン構成１０のある程度の機械的一貫性が維持されることが、保証されることができる。この場合、保護フォイル複合物２６がその曲げ強度を失ったとしても、それは保持要素１８に対する位置を維持し、それにより一方で乗員が破損したペイン１４を通って投げ出されることおよび他方でペインまたは品物の粉砕物が外部から乗員客室に侵入することから防止する。さらに破壊行為によるガラス・ペイン１４の破損の際にも、保護フォイル複合物２６はある程度夜盗への保護対策を提供する。破壊されたガラス・ペイン１４の粉砕物は、保護フォイル複合物２６、即ち保護フォイル３０に、接着層２８により接着する。従って、保護フォイル３０は、粉砕物保護フォイルとして作用する。
【００２４】
図６は、図５の代案として、保護フォイル複合物２８がガラス・ペイン１４に直接糊付けされてはいないが、むしろ太陽電池フォイル複合物６０がガラス・ペイン１４と保護フォイル複合物２６の接着フォイルまたは接着層２８の間に備えられた、ペイン構成１０の層構造を示す。太陽電池フォイル複合物６０は、互いに他と電気的に接続され、望ましくはＥＶＡ製の二つの溶融接着フォイル６４、６６の間に埋め込まれた、複数の太陽電池を備える。溶融接着フォイル６４は太陽電池フォイル複合物６０をガラス・ペイン１４と接続するために、一方溶融接着フォイル６６は保護フォイル複合物２６を太陽電池フォイル複合物６０に、従ってガラス・ペイン１４に、接続するために供される。
【００２５】
オプションとして溶融接着フォイル６６が省略され、その場合接着フォイル２８は粉砕保護フォイル３０を太陽電池６３および溶融接着フォイル６４に、それぞれ直接接続するために供される。
【００２６】
望ましくは、太陽電池複合物６０は、保護フォイル複合物２６の周縁領域２２に延伸しない。
【００２７】
図２には、図１のペイン構成１０の変形された実施形態が示され、そこでは図１とは対称的に保護フォイル複合物２６の中央領域のみならず周縁領域２２もまたペイン１４に糊付けされ、即ちこの場合ペイン１４と保護フォイル複合物２６の間の接着接続は、保護フォイル複合物２６の全表面にわたって延伸する。ここに用いられているように、その全表面にわたってペイン１４に固定される粉砕保護フォイル３０は、粉砕保護フォイル３０および保護フォイル複合物２６がそれぞれ、その全表面にわたってペイン１４に糊付けされていることを意味する。それにもかかわらず保持要素１８のペイン１４との接着接続を達成するために、保護フォイル複合物２６の周縁領域２２は、ペイン１４と保持要素１８の間の固定の接続を達成するために、接着接続１２がペイン１４を、それを通して延伸する、穴３２を備える。保護フォイル複合物２６はペイン１４と保持要素１８の間に配置され、従って保護フォイル複合物２６と保持要素１８の間の接着接続は、穴３２を介して達成される。この方法で、それにもかかわらずペイン１４と保持要素１８の間の直接の接着接続１２は提供される一方で、ペイン構成１０の製造は保護フォイル複合物２６の全表面をペイン１４に適用することにより、特に簡単になされることができる。
【００２８】
図１の実施形態に示されるように、保護フォイル複合物２６の中央領域はペイン１４に直接固定されてもよいし、それぞれ図５、６に見られるように、それは中間太陽電池フォイル複合物６０を介してペイン１４に固定されてもよい。
【００２９】
どちらの実施形態の場合でも、保持要素１８は例えば補強フレームまたは支持フレームであることができ、ペイン構成１０が車両の屋根のガラス・パネルである場合は、それはいわゆるインナー・パネル・フレームであることができる。
【００３０】
どちらの実施形態の場合でも接着接続１２は望ましくは、互いに糊付けされる要素の１つを接着帯に適用することにより、および二つの要素を互いに続けて置くことまたは押圧することにより、作成される。対称的に接着接続１２は例えば、永久的に弾性の発泡プラスチックであり、望ましくは３０と７０の間のショアＡ硬度（ドイツ産業規格ＤＩＮ５３５０５）、１ないし１０Ｎ／ｍｍ２の引っ張り強度（（ドイツ産業規格ＤＩＮ５３５０４）３００−６００％の断裂伸び（ドイツ産業規格ＤＩＮ５３５０４）を有する。接着材料は例えば、シリコン材料またはＰＵベースの材料であってよい。
【００３１】
図３は、発泡フレームを有する車両屋根用のガラス・パネルである、ペイン構成１１０のある実施形態を示す。図３では、パネルの下方が上方に示される。図３の実施形態と、図１、２の実施形態との本質的な差異は、その下方エッジおよびペインの周縁の下方でガラス・ペイン１４を取り囲み、接着接続１２同様に、一方では内部パネル・フレーム１８をペイン１４に固定して接続するようにされ、他方では保護フォイル複合物２６を内部パネル・フレーム１８に固定して接続するようにされている、発泡フレーム１６により接着接続１２が置換されている事実である。さらに発泡フレーム１６は、発泡フレーム１６を取り囲むシーリング（図示せず）がその内部に挿入されることができ、屋根パネル１１０が閉じられた時、乗員客室への湿気の侵入を防止するようにされた、レセプタクル２０を含む。発泡フレーム１６の材料は、例えば発泡ポリウレタンである。発泡のモールド処理は、内部パネル・フレームと保護フォイル複合物２６を有するペイン１４がその内部に置かれた、適宜のツール内部で実行されることができる。接着接続とは対称的に、発泡フレーム１６は硬く、即ち永久的に弾性的ではない。
【００３２】
図２の実施形態と同様に、保護フォイル複合物２６はその全表面、即ちまたその周縁領域２２で、ペイン１４と糊付けされる。保護フォイル複合物２６を発泡フレーム１６と、従って内部パネル・フレーム１８と、部分的に良好な結合を達成するために、発泡モールド処理中に発泡材料がその中に侵入する、穴３４を、保護フォイル複合物２６の周縁領域２２は備えている。
【００３３】
調整機構（図示せず）を介して、ガラス・ペイン１４を車両本体に接続するために、内部パネル・フレーム１８が、ガラス・ペイン１４用のサポート構成または保持要素として作用する。
【００３４】
保護フォイル複合物２６の中央領域の層構造は図５または６に示されたものと同様で、即ち中間の太陽電池フォイル複合物６０を有しても、有さなくてもよい。
【００３５】
さらに図１および２に示された実施形態と同様に、ガラス原料（図３には図示せず）が発泡フレーム１６および内部パネル・フレーム１８の領域を外側から覆うために、備えられてもよい。
【００３６】
図４は、保護フォイル複合物２６の周縁領域２２と内部パネル・フレーム１８の間の改善された結合は穴３４を備えることで達成はされないが、それがむしろ保護フォイル複合物２６の周縁領域２２の表面３６の特別な処理により達成される、図３の実施形態の変更を示す。例えば、表面領域３６の表面は機械的に粗面化されてもよく、または保護フォイル複合物２６と発泡フレーム１６の間に適宜の結合を生成するために、それが下塗り系を備えることができる。
【００３７】
上記の、保護フォイル複合物２６、発泡フレーム１６および接着接続１２の間の結合をそれぞれ改善するための手段は、組合せて適用されてもよい。
【００３８】
結合の橋の異なる設計から離れて、図１−３の実施形態の層構造の変種とガラス原料が、以下に適用される。
【００３９】
保護フォイル複合物２６と接着接続１２の間に改善された結合を達成するために、図４に従う穴または表面処理を備える、保護フォイル複合物２６の周縁領域２２を提供することは、一般的に図１の実施形態に対して考えられることである。
【００４０】
保護フォイル複合物２６とペイン１４の間の接着接続が周縁領域２２に延伸せず、従って図１の実施形態と同様に、周縁領域２２がペイン１４とは別れており、発泡フレーム１６内に埋め込まれてよい、との修正が考えられうる。
【００４１】
粉砕保護フォイル３０とペイン１４（あるいは太陽電池フォイル複合物６０）の間の接着接続が、むしろ接着フォイル２８より、ペインの全表面上に接着材料を適用する事により、および粉砕保護フォイル３０を引き続いて適用してそれをペインに押圧することにより、達成されても良い。
【００４２】
ここまでに議論した実施形態とは対称的に、ギャップ２５により分離され、各々がそれぞれ接着フォイル２８Ａ、２８Ｂ、およびそれぞれ粉砕保護フォイル３０Ａ、３０Ｂを含む、一つではなくむしろ二つの、保護フォイル複合物２６Ａ、２６Ｂが提供される実施形態が図７、８に示される。フォイル複合物２６Ｂがペインの中央に対して相対的に内側に配置され、一方保護フォイル複合物２６Ａがリング状に、ギャップ２５により分離されて、フォイル複合物２６Ｂを取り囲むように、二つのフォイル複合物２６Ａ、２６Ｂが互いに隣り合って配置される。共通の接着接続１２内部の結合を改善するために、フォイル複合物２６Ａ、２６Ｂの双方が、ギャップ２５に面したそれらの中央領域に穴３４を備え、それによりさらに、保持要素１８がペインの下方に糊付けされる。図８によれば、それぞれがギャップ２５に面する、それぞれの周縁領域２２Ａ、２２Ｂは、ガラス・ペイン１４の下方については解放され、即ちそれらは接着接続１２内に自由に突出する。図７において、フォイル複合物２６Ａ、２６Ｂの共通の接着接続１２は、点線で表わされる。
【００４３】
代替案として、接着接続１２の使用よりむしろ、対応する発泡フレームが保持要素１８の固定のために提供される。
【００４４】
二つの粉砕保護フォイル３０Ａ、３０Ｂが、どちらの場合も共通接着接続１２の領域にオーバーラップするか、または部分的に互いに垂直にシフトされ、即ちこの場合図７、８の実施形態とは対称的に、水平に延伸するギャップ２５はないが、むしろ縦方向に分離が起こる、図８の実施形態の修正を、図１８、１９の各々が示す。
【００４５】
図１８の実施形態では、接着接続１２内に延伸する、フォイル２８、３０の領域にはペイン１４への接着材料の侵入のために穴３４が備えられる、溶融接着フォイルを介したその全表面にわたり、右方の粉砕保護フォイル３０Ｂがペイン１４に固定され、一方左方の粉砕保護フォイル３０Ａは、同様に穴３４が改善されたアンカー効果のために備えられる、接着接続１２内に延伸し、ペイン１４とは無関係であり、水平に突出する、周縁部２２Ａを有する。
【００４６】
図１９の実施形態では、粉砕保護フォイル３０Ａ、３０Ｂに対して、接着接続１２内に延伸する周縁領域２２Ａ、２２Ｂはペイン１４とは無関係で、かつ水平に突出する。ここでも同様に、双方の周縁領域２２Ａ、２２Ｂは、接着接続１２内部の改善されたアンカー効果のために、穴を備える。
【００４７】
どちらの実施形態でも、ペイン１４とは無関係の粉砕保護フォイル３０Ａ、３０Ｂの周縁領域は、溶融接着フォイル２８Ａ、２８Ｂを備えない。
【００４８】
図９、１０には、保護フォイル複合物２６の保持要素１８の接着接続への結合が直接ではなく、むしろシート状接続要素７０を介して達成される、ペイン構成の修正された実施形態が示される。この場合、図９、１０には示されない保持要素と接続する、保護フォイル複合物２６と接着接続１２の間の結合は、保護フォイル複合物２６と接着接続１２の間の直接の接触を介して達成されるのではなく、結合ブリッジとして供される、接続要素７０を介してむしろ間接的に達成される。図９、１０に示される実施形態では、ペイン１４の中央に面する半分が、粉砕保護フォイル３０の頂部に備えられた溶融接着フォイル２８と、ペイン１４の下方に置かれる溶融接着フォイルの付加のストリップ７２の間に、ペイン１４の周縁領域内で挟まれているストリップとして、接続要素７０が形成されている。しかしながらペインのエッジに面している接続要素７０の半分は、接着接続１２内に突出する。この接着接続１２は、発泡フレームにより置換されることができる。
【００４９】
接続要素７０はシート状のデザインを有し、望ましくは接着材料または発泡材料が繊維の細孔を通って侵入することができるように、接着接続１２または発泡フレームのそれぞれの接着材料または発泡材料の粘度に応じて選択されるメッシュを伴う、例えばプラスチックまたは金属の繊維製である。接続要素７０は、フォイル複合物２６の全周縁領域にわたって、またはその一部のみに、備えられてよい。
【００５０】
図１１には、接着帯１２内に接続要素または接続繊維７０と共に埋め込まれ、かつ従ってペイン１４の下方に接続された、アングルとして表わされる接続要素１８が示される、図９、１０の実施形態の修正が示される。保持要素１８は、ペイン１４を車両本体に結合するために供される。
【００５１】
粉砕保護フォイル３０の周縁領域２２の表面が、接着接続１２または発泡フレームとの結合を改善するための、下塗り系３６を備える、図４の実施形態の修正を、図１２、１３は示す。図４の実施形態に関する本質的な修正点は、粉砕保護フォイル３０の周縁領域２２と接着接続１２または発泡フレームの間の結合をさらに改善するために、粉砕保護フォイル３０とは反対側の下塗り系３６の面を、充填粒子７４で粗面化したことに存在する。この充填粒子２４は、望ましくは０．１−１．０ｍｍである平均粒子径を有する、例えば珪砂またはプラスチック粒子（プラスチック・チップ）であってよい。
【００５２】
さらに図１２の実施形態では、下塗り系３６を含む粉砕保護フォイル３０の周縁領域２２は、接着接続１２または発泡フレームがペイン１４の下方とそれを通して直接の結合を有する、凹部３２を備える。同様の凹部がまた、図２の実施形態に示される。一般的に図７、８の実施形態のアナロジーとして、凹部３２は粉砕保護フォイル３０の部分を取り囲むことができ、従って図１２の実施形態に従う保持要素１８がＴ字状の断面形状を有し、かつ接着接続１２または発泡フレーム内で良好なアンカー効果を達成するために、保持要素１８の水平部が接着接続１２または発泡フレーム内部に埋め込まれた、二つの分離された粉砕保護フォイルは単一の接着接続または発泡フレームを介して、保持要素１８に固定されることができる。
【００５３】
図１４ａ〜１４ｃは、粉砕保護フォイル３０がその全表面で接着により固定されている場合の、ペイン１４とは反対側の粉砕保護フォイル３０の周縁領域２２の表面の修正による、接着接続１２または発泡フレーム内部の改善された結合を達成するための、異なる変形を示す。
【００５４】
図１４ａの実施形態では、フォイルが接着接続１２または発泡フレームを損壊することを可能な限り防止するように、プラスチック材料７６が接着接続１２または発泡フレーム内部に埋め込まれて、ペイン１４の反対側に面する粉砕保護フォイル３０の周縁領域２２の表面に、プラスチック材料７６が溶着されている。このプラスチック材料７６は、接着接続１２または発泡フレーム内部へ下向きに延伸する。変形された実施形態では、プラスチック材料７６は粉砕保護フォイル３０に同様に溶融された、同様の形状を有する、複数の分離要素に置き換えられる。図１４ａの実施形態のさらなる変形によれば、プラスチック材料７６は、粉砕保護フォイル３０の表面に溶着されるより、むしろその上に糊付けされてもよい。
【００５５】
図１４ｂは、プラスチック材料７８が粉砕保護フォイルの周縁部２２に備えられ、その材料が粉砕保護フォイル３０と溶融接着フォイル２８または対応する接着層の間に挿入され、接着接続１２または発泡フレーム内部に、粉砕保護フォイル３０の改善された結合を達成するために、プラスチック材料７８が、接着接続１２または発泡フレーム内に、フォイル３０の対応する穿孔を通って延伸する、複数の突起８０をその材料７８が含む、変形された実施形態を示す。この場合もまた、単一の１体材料よりむしろ、複数の同様の分離された要素を用いることができる。
【００５６】
接着接続１２または発泡フレームへの粉砕保護フォイル３０の結合を改善するために、粉砕保護フォイル３０の周縁領域２２が突出する構造７６および８０をそれぞれが備える、共通の特徴を図１４ａ、１４ｂの実施形態は有する。
【００５７】
図１４ｃによれば、接着接続１２または発泡フレームへの粉砕保護フォイル３０の結合の改善が、溶融接着フォイルのストリップ８２を介して、ペイン１４の反対側の粉砕保護フォイル３０の表面上に、粗面化表面を有する、シート状の構造８４の糊付けにより達成され、この構造８４は例えば、繊維のストリップ上に粒子が糊付けされた、繊維のストリップであってよく、粗面化表面８４は接着接続１２または発泡フレーム内部に埋め込まれる。溶融接着フォイルストリップ８２の溶融接着フォイル２８への、従って即ちペイン１４の下方への、直接の結合をさらに達成するために、粉砕保護フォイル３０はそれを通して溶融接着フォイルストリップ８２と溶融接着フォイル２８の間の結合が達成される、開口８６を備える。
【００５８】
図１５ａから１５ｃは、粉砕保護フォイル３０の周縁領域２２がペイン１４とは無関係で、接着接続１２に延伸するが、接着接続１２内部の粉砕保護フォイル３０の接着を改善するための異なるオプションが示される、実施形態を示す。
【００５９】
図１５ａの実施形態によれば、それを通して要素８８が粉砕保護フォイル３０のそれぞれの表面上の両面に突出して接着接続１２内部に延伸する、穴３４を粉砕保護フォイル３０の周縁領域２２が備える。従って接着接続１２での粉砕保護フォイル３０の固定は、顕著に改善されることができる。接着接続１２内部に延伸する、粉砕保護フォイル３０の自由な周縁領域２２は、溶融接着フォイル２８を備えない。
【００６０】
図１５ｂの実施形態は、粉砕保護フォイル３０の周縁領域２２の二つの表面が、接着接続１２に面する側に、例えば珪砂またはプラスチック粒子である充填粒子を含む下塗り系３６を備える、粉砕保護フォイル３０の周縁領域２２の表面の代替の修正を示す。同様に図１５ｂの実施形態では、粉砕保護フォイル３０の周縁領域２２は、溶融接着フォイル２８は備えない。
【００６１】
しかしながら図１５ｃの実施形態によれば、溶融接着フォイル２８は粉砕保護フォイル３０の周縁領域２２に延伸し、接着接続１２を伴う粗面化構造８４の係合により、接着接続１２内部の粉砕保護フォイル３０の結合を改善するために、ペイン１４に面する粉砕保護フォイル３０の側に粗面化表面を有する、シート状の構造８４を接続するために供される。
【００６２】
図１６は、穴３４を通って貫通する要素８８が、ペイン１４の反対側の粉砕保護フォイル３０の周縁領域２２の表面上に溶着された、プラスチック・コーンにより置き換えられ、接着接続１２内部の粉砕保護フォイル３０の結合をそれにより改善した、図１５ａの実施形態の変形を示す。
【００６３】
接着接続１２沿いに互いに続いて配置され、望ましくは糸またはコードである引き延ばした構造９２が交互に通過する、穴３４を粉砕保護フォイル３０の周縁領域２２が備え、それにより構造９２が粉砕保護フォイル３０の両側に小穴９４を形成する、図１５ａから１５ｃおよび図１６の実施形態のさらなる変形を、図１７は示す。望ましくは引き延ばした構造９２は、プラスチック材料製である。複数のそのような構造９２が、隣り合って提供されることができる。この構造９２は接着接続１２内部に延伸し、従って接着接続１２内部の粉砕保護フォイル３０の結合が改善されるような方法で、接着接続１２と係合する。
【００６４】
一般的に記述された全ての実施形態で、粉砕保護要素は粉砕保護フォイルによるよりむしろ粉砕保護プレートにより形成され、これら二つの変種では曲げ弾性に関して、従って与えられた材料については粉砕保護要素の厚みに関して、本質的に区別される。
【００６５】
さらに、接着接続または発泡フレームは一般的に、粉砕保護要素を車両本体に接続された保持要素に接続するためよりもむしろ、粉砕保護要素を車両本体に直接接続するために供される。示された全ての実施形態で、たとえ全ての図でこれが示されていなくとも、接着接続または発泡フレームは、車両本体または車両本体に接続された保持要素に接続される。
【００６６】
示された全ての実施形態で、接着接続または発泡フレームは同時に双方が、粉砕保護要素を保持要素に（または車両本体に）接続するために、およびペインを保持要素（または車両本体）に接続するために、供される。しかしながらまた一般的に、接着接続または発泡フレームが排他的に粉砕保護要素を保持要素または車両本体に接続するために供され、この場合ペインは保持要素または車両本体のどちらかに別個に接続されるか、または粉砕保護要素を経由して、保持要素または車両本体に間接的に接続される実施形態が、考えられうる。
【００６７】
示された殆どの実施形態で、一つのみの粉砕保護要素が示されたにもかかわらず、一般的にペイン用の複数の粉砕保護要素がシャッター状に隣り合って配置されて提供されることができる。
【００６８】
一般的に粉砕保護要素は、接着接続または発泡フレームを経由して、粉砕保護要素またはペインの周縁領域で、保持要素または車両本体に接続されてもよい（殆どの場合に、これは最も適切な解法である））；代わりに粉砕保護要素は、保持要素または車両本体に、ペインのおよび／または粉砕保護要素の、より中央部で接続されても良い。
【００６９】
ここで用語「発泡フレーム」は、発泡材料が表面に適用されるが、発泡材料がその表面の周辺エッジを取り囲まなければならない必要はないことが理解されるべきである。従ってここでの用語「発泡フレーム」または「発泡フレームで取り囲む」は同様に、当業者が「発泡構造を付加された」または「発泡構造を付加すること」としてそれぞれ表す場合を含むべきである。
【００７０】
一般的に粉砕保護要素は、接着接続または発泡フレームの粉砕保護要素の全表面にわたって、またはその周縁領域のセグメント内部のみのどちらかで結合されてよい。
【００７１】
乗員の客室に関して粉砕保護要素の改善された光学的外観を達成するために、粉砕保護要素は例えば、定義された滑らかでない表面構造を備えてもよく、そのような「粒状」構造は例えば、鋳型の作用により生成されてよい。そのような粒状の表面構造は例えば、ダッシュボードの表面に用いられ、ぎざぎざの規則的なパターンにより形成される。代案として、粉砕保護要素はプリントされた規則的なパターンを備えてもよく、またはその全厚みにわたって色づけられても良い。そのプリントは、太陽電池フォイル複合物のある部分、例えば太陽電池コネクタが覆われるようにデザインされることができる。
【００７２】
ある状況ではペインの外側、またはペインの外側と内側の双方に、粉砕保護要素を備えることが望ましいにもかかわらず、粉砕保護要素は望ましくは乗員客室に面するペインの側に配置される。
【００７３】
望ましくは、ペインおよび粉砕保護要素の双方が、少なくとも部分的に透明である。しかしながらまた、ペインおよび／または粉砕保護要素が不透明である用途も考え得る。特に太陽電池フォイル複合物が備えられる場合は、ペインが透明である一方で粉砕保護要素は少なくとも部分的に不透明であることが適切である。
【図面の簡単な説明】
【００７４】
【図１】ペイン構成の第１実施形態の周縁の断面図である。
【図２】第２の実施形態が示される、図１と同様の断面図である。
【図３】第３の実施形態が示される、図１と同様の断面図である。
【図４】第４の実施形態が示される、図１と同様の断面図である。
【図５】本発明に従うペイン構成の例の、周縁領域外の層構造の拡大断面図である。
【図６】変形した実施形態が示される、図５と同様の断面図である。
【図７】二つの個別の粉砕保護要素を備える、本発明に従うペイン構成の立面図である。
【図８】図７の線Ａ−Ａ沿いの、図７のペイン構成の左方の周縁領域の断面図である。
【図９】本発明に従う、ペイン構成の変形の実施形態の一部の、模式的立面図である。
【図１０】図９の線Ｂ−Ｂ沿いの断面図である。
【図１１】ペイン構成の下側が図１１の上に示される、接続要素を備えるペイン構成の一部の、部分的に断面を示す、斜視図である。
【図１２】変形された実施形態を部分的に切り取って示す、図１１と同様の斜視図である。
【図１３】図１２で「Ａ」と表示された領域の、前エッジの拡大図である。
【図１４ａ−１４ｃ】全ての実施形態が粉砕保護要素の全表面にわたる、ペインにおける粉砕保護要素の取り付けに関わり、ペイン構成の下側が図の上に示される、本発明に従うペイン構成の異なる実施形態を示す断面図である。
【図１５ａ−１５ｃ】粉砕保護要素の周縁が接着接続に突入する、変形の実施形態が示される、図１４ａ−１４ｃと同様の断面図である。
【図１６】接着接続の部分が切り取られた、本発明に従うペイン構成の変形の実施形態の、部分的に断面を示す、斜視図である。
【図１７】変形した実施形態が示される、図１６と同様の断面図である。
【図１８】変形した実施形態が示される、図８と同様の断面図である。
【図１９】さらに別の変形した実施形態が示される、図８と同様の断面図である。
【符号の説明】
【００７５】
１０、１１０  ペイン構成
１２  接着接続
１４  ガラス・ペイン
１６  発泡フレーム
１８  保持要素
２０  封止要素用穴
２２、２２Ａ、２２Ｂ  ２６、２６Ａ、２６Ｂの周縁
２４  ガラス原料
２５  ２６Ａ、２６Ｂの間のギャップ
２６、２６Ａ、２６Ｂ  粉砕保護フォイル複合物
２８、２８Ａ、２８Ｂ  接着フォイル
３０、３０Ａ、３０Ｂ  粉砕保護フォイル
３２  ２６内の穴
３４  ２２内の穴
３６  ２２の表面領域
６０  太陽電池フォイル複合物
６２  太陽電池
６４、６６  溶融接着フォイル
７０  接続要素
７２  溶融接着フォイル製ストリップ
７４  充填粒子
７６  隆起プラスチック側面
７８  隆起プラスチック側面
８０  ７８の突起
８２  溶融接着フォイル製ストリップ
８４  粗化構造
８６  ３０内の開口
８８  貫通要素
９０  プラスチック・コーン
９２  突出構造
９４  小穴
【図１】
0004771935.tif 000002
【図２】
0004771935.tif 000003
【図３】
0004771935.tif 000004
【図４】
0004771935.tif 000005
【図５】
0004771935.tif 000006
【図６】
0004771935.tif 000007
【図７】
0004771935.tif 000008
【図８】
0004771935.tif 000009
【図９】
0004771935.tif 000010
【図１０】
0004771935.tif 000011
【図１１】
0004771935.tif 000012
【図１２】
0004771935.tif 000013
【図１３】
0004771935.tif 000014
【図１４ａ】
0004771935.tif 000015
【図１４ｂ】
0004771935.tif 000016
【図１４ｃ】
0004771935.tif 000017
【図１５ａ】
0004771935.tif 000018
【図１５ｂ】
0004771935.tif 000019
【図１５ｃ】
0004771935.tif 000020
【図１６】
0004771935.tif 000021
【図１７】
0004771935.tif 000022
【図１８】
0004771935.tif 000023
【図１９】
0004771935.tif 000024